(57)【要約】本発明は組立式愛玩動物用遊び器具に関し、より詳しくは、愛玩動物が容易に上り下りすることができ、かつ自身の体や爪、歯などを擦り付けたり噛んだりしながらストレス解消及び健康鍛練機能に使われるように容易に取替え可能な摩擦手段を設けて、また楽に休むことができる暗い暗室が維持されるように休み部を設けて愛玩動物が休み部のポケットに入って休むことができるように便宜施設が提供できるようにする。これを達成するための技術的手段に、上面に締結孔を有する柱が形成されたベースパネル；前記柱の締結孔にねじ締結される締結突起が下部に形成され、上部には結合孔が形成された延長棒；前記延長棒の外面を巻きながら配置される摩擦ロープ；及び前記延長棒の結合孔にねじ締結される結合突起が下部に形成され、葉が設けられた枝部からなる構成関係に特徴がある。【選択図】図１
2017532002.tif 000002
【特許請求の範囲】
【請求項１】
上面に締結孔を有する柱が形成されたベースパネル；
前記柱の締結孔にねじ締結される締結突起が下部に形成され、上部には結合孔が形成された延長棒；
前記延長棒の外面を巻きながら配置される摩擦ロープ；及び
前記延長棒の結合孔にねじ締結される結合突起が下部に形成され、葉が設けられた枝部を含んで構成され、かつ、
前記延長棒には外面に螺旋の溝部がさらに形成され、前記摩擦ロープが前記溝部に沿って巻かれるように配置されて、愛玩動物の移動により前記摩擦ロープが垂れたり解けたりすることを防止するように構成されたことを特徴とする、組立式愛玩動物用遊び器具。
【請求項２】
削除
【請求項３】
前記柱と前記延長棒との間には愛玩動物が支持しながら休むことができるように下部支持パネルがさらに介されるように配置され、前記延長棒と前記枝部との間には上部支持パネルがさらに介されるように配置されることを特徴とする、請求項１に記載の組立式愛玩動物用遊び器具。
【請求項４】
前記柱と前記延長棒との間、または前記延長棒と前記枝部との間には貫通孔を有する休み部がさらに配置され、
前記休み部は前記貫通孔が形成された連結パネルと引込口を有するリング部からなる固定パネルと、
前記リング部の下部に形成されて前記リング部を通じて引き込まれる愛玩動物が配置されるポケットからなり、かつ、
前記リング部には前記引込口を開放または閉鎖するように軸回動されるように枠に摩擦リングが嵌合されたドアがさらに設置されて、前記ポケットの内部空間が暗い暗室になるようにすることを特徴とする、請求項１に記載の組立式愛玩動物用遊び器具。
【請求項５】
削除
【発明の詳細な説明】
【技術分野】
【０００１】
本発明は組立式愛玩動物用遊び器具に関し、より詳しくは、愛玩動物が容易に上り下りすることができ、かつ自身の体や爪、歯などを擦り付けたり噛んだりしながらストレス解消及び健康鍛練機能に使われるように容易に取替え可能な摩擦手段を設けて、また楽に休むことができる暗い暗室が維持されるように休み部を設けて愛玩動物が休み部のポケットに入って休むことができるように便宜施設が提供できるようにした組立式愛玩動物用遊び器具に関する。
【背景技術】
【０００２】
一般に、愛玩動物は人間が主に楽しみを享受するための対象として飼育する動物であって、犬・猫・カナリア・金魚などをはじめとして、昔から哺乳類・鳥類・魚類を主に飼育してきたが、最近は、ヘビ・トカゲ・ワニ・亀・カエル・サンショウウオなどの爬虫類と両棲類も愛玩動物として飼育される。特に、犬や猫などは血統が重要視され、金魚は品種改良の産物として有名である。
【０００３】
最近、このような愛玩動物に対する関心が高まるにつれて、国内でも徐々に犬と共に猫などの多様な愛玩動物を育てる人々が増加している趨勢である。
【０００４】
ところで、大部分の愛玩動物は飽食性動物であって、鋭い歯と、強くて鋭くて窄めることもできる爪などの主要形質をそのまま有している。したがって、愛玩動物は一種のストレスを解消するための行動として爪を研ぐ爪とぎを頻繁に行うため、家内のソファーや家具、壁紙などの生活道具に対して多い損傷を与える弊害がある。
【０００５】
このような問題点を解決するために、特許文献１のように、鋭い爪があって、頻繁に研ぐ習性と上がることを好む愛玩動物が何時でも自由に研ぐことができるので、基本的に動物の本能を解消することができ、かつ何時でも上がって休んだり遊んだりすることができる遊び場及び休息場所であって、動物の知能発達と健康を育てることができるだけでなく、延いては、生活空間での庭園樹の感じが伝達できるので、室内のインテリア小品や装飾機能としても活用できる遊び施設が紹介されている。
【０００６】
しかしながら、従来の愛玩動物用遊び施設は、本体の枝と装飾葉が一体になされているので、本体の枝の高さを調節し難いという問題点があり、特に、鋭い爪があり、頻繁に研ぐ習性と上がることを好む愛玩動物がしばしば本体の枝の外面に乗って支持しながら移動するので、本体の枝の外面が割れて美観を害するようになる問題点があり、これは結局、本体の枝にパネル構造の動物休息板の以外に愛玩動物が休むことができる便宜施設がないという不便な問題点が相変わらず残るようになる。
【０００７】
参考までに、前述した先行技術発明は本発明が属する技術分野の背景技術を意味し、従来技術を意味するものではない。
【先行技術文献】
【特許文献】
【０００８】
【特許文献１】韓国特許第１０−２００６−００８７７１６号公報
【発明の概要】
【発明が解決しようとする課題】
【０００９】
本発明は、最近の愛玩動物を育てる消費者らの要求条件に応ずるために開発されたものであって、愛玩動物が鋭い爪で上り下りする過程で、爪の一部が摩擦手段に引き込まれるようにすることで、愛玩動物が容易に遊び器具を上り下りすることができ、かつ愛玩動物自身の体や爪、歯などを擦り付けたり噛んだりしながらストレス解消及び健康鍛練機能に使われるように容易に取替え可能な摩擦手段が取替え可能であるので、メインテナンス費用が低減され、また暗室が維持されるように休み部を設けて、愛玩動物が休み部のポケットに入って休むことができるように便宜施設を提供することができる組立式愛玩動物用遊び器具を提供することをその目的とする。
【課題を解決するための手段】
【００１０】
本発明は、上面に締結孔を有する柱が形成されたベースパネルと前記柱の締結孔にねじ締結される締結突起が下部に形成され、上部には結合孔が形成された延長棒と前記延長棒の外面を巻きながら配置される摩擦ロープと前記延長棒の結合孔にねじ締結される結合突起が下部に形成され、葉が設けられた枝部からなることを特徴とする。
【００１１】
また、前記延長棒には外面に螺旋の溝部がさらに形成され、前記摩擦ロープが前記溝部に沿って巻かれるように配置されて、愛玩動物の移動により前記摩擦ロープが垂れたり解けたりすることを防止するようになったことを特徴とする。
【００１２】
また、前記柱と前記延長棒との間には愛玩動物が支持しながら休むことができるように下部支持パネルがさらに介されるように配置され、前記延長棒と前記枝部との間には上部支持パネルがさらに介されるように配置されることを特徴とする。
【００１３】
また、前記柱と前記延長棒との間、または前記延長棒と前記枝部との間には貫通孔を有する休み部がさらに配置され、前記休み部は前記貫通孔が形成された連結パネルと引込口を有するリング部からなる固定パネルと、前記リング部の下部に形成されて前記リング部を通じて引き込まれる愛玩動物が配置されるポケットからなることを特徴とする。
【００１４】
また、前記リング部には前記引込口を開放または閉鎖するように軸回動されるように枠に摩擦リングが嵌合されたドアがさらに設置されて、前記ポケットの内部空間が暗い暗室になるようにすることを特徴とする。
【発明の効果】
【００１５】
本発明の組立式愛玩動物用遊び器具は、鋭い爪で上り下りする過程で爪の一部が引き込まれるように摩擦ロープを具備させて、愛玩動物が容易に遊び器具を上り下りすることができるようになり、特に愛玩動物が容易に上り下りすることができ、かつ自身の体や爪、歯などを擦り付けたり噛んだりしながらストレス解消及び健康鍛練機能に使われるように、摩擦手段である摩擦ロープが容易に取替え可能であるので、メインテナンス費用も格段に低減され、暗室が維持されるように休み部を設けて、愛玩動物が休み部のポケットに入って楽に休むことができるように便宜施設が提供できることと期待される。
【図面の簡単な説明】
【００１６】
【図１】本発明の第１実施形態に係る組立式愛玩動物用遊び器具を示す結合状態斜視図である。
【図２】本発明の第１実施形態に係る組立式愛玩動物用遊び器具を示す分離状態斜視図である。
【図３】本発明の第１実施形態に係る組立式愛玩動物用遊び器具を示す使用状態斜視図である。
【図４】本発明の第２実施形態に係る組立式愛玩動物用遊び器具を示す分離状態斜視図である。
【図５】本発明の第３実施形態に係る組立式愛玩動物用遊び器具に適用構成される摩擦ロープが巻かれる延長棒を示す構造図である。
【図６】本発明の第４実施形態に係る組立式愛玩動物用遊び器具に適用構成される猫が休む休み部を示す斜視図である。
【発明を実施するための形態】
【００１７】
以下、添付の図面を参照して本発明に係る組立式愛玩動物用遊び器具の好ましい実施形態を添付の図面を参照して説明する。この過程で、図面に図示された線の厚さや構成要素のサイズなどは、説明の明瞭性及び便宜上、誇張して図示されることがある。また、後述する用語は本発明での機能を考慮して定義された用語であって、これは、使用者、運用者の意図または慣例によって変わることがある。したがって、このような用語に対する定義は、本明細書の全般に亘った内容に基づいて下されるべきである。
【００１８】
また、下記の実施形態は本発明の権利範囲を限定するものでなく、単に例示として提示するものであり、本技術思想を通じて具現される多様な実施形態がありうる。
【００１９】
図１は本発明の第１実施形態に係る組立式愛玩動物用遊び器具の結合状態図であり、図２は本発明の第１実施形態に係る組立式愛玩動物用遊び器具の分離状態図であり、図３は本発明の第１実施形態に係る組立式愛玩動物用遊び器具の使用状態図であり、また図４は本発明の第２実施形態に係る組立式愛玩動物用遊び器具の分離状態図であり、図５は本発明の第３実施形態に係る組立式愛玩動物用遊び器具の構成要素のうちの延長棒の構造を示すものであり、図６は本発明の第４実施形態に係る組立式愛玩動物用遊び器具の構成要素のうちの休み部の任意実施形態を示すものである。
【００２０】
図面に図示したように、本発明の組立式愛玩動物用遊び器具（以下、説明の便宜上、遊び器具と称する）は、愛玩動物が乗って上り下りしたり、ぶら下がって遊んだりし、休息を取ることができるようにしたものであって、このような遊び器具１０は、底に接地されるベースパネル２０を基準に、その上側に他の構成要素を互いに連結結束させる延長棒３０と共に、爪の鋭い愛玩動物、特に猫が爪や歯を研いだり擦ったりしてストレスを解消することができる摩擦手段であって、摩擦ロープ４０、そして多数の枝部５０からなる。
【００２１】
まず、ベースパネル２０は合成樹脂材または金属材からなり、上面中央には上向きに突出するように柱２１が一体形成され、前記柱２１の上面には内周縁に螺旋を有する締結孔２１１が形成される。
【００２２】
また、ベースパネル２０は、図１に示すように、基本的に安定した形態の四角のパネル形状に形成されることが好ましく、四角の以外に円形多角形の多様な形状に形成させることもでき、多数のバー形態に形成させることもできる。
【００２３】
そして、延長棒３０は合成樹脂材または金属材からなり、底面には柱２１の締結孔２１１にねじ締結される締結突起３１が下部に形成され、上部には内周縁に螺旋を有する結合孔３２が形成されて、互いにねじ結合されることを基本とするが、場合によっては、互いに一定押圧により簡単に嵌め込んで互いに嵌合結束する脱付着可能な結合構造をなすことができることは勿論である。
【００２４】
また、延長棒３０は図１に示すように、基本的に軟らかい円形の棒形状に形成され、場合によって、四角または多角形に形成させることも可能である。
【００２５】
そして、愛玩動物がストレスを解消するために、噛んだり、研いだり、擦り付けたりすることができるように摩擦手段として使われる摩擦ロープ４０は、延長棒３０の外面を巻きながら配置されるが、これは愛玩動物である猫が基本的に自身の体や爪、歯などを擦り付けたり噛んだりしながらストレス解消及び健康鍛練機能に使われるようにするところ、 場合によっては、猫がストレス解消は勿論、よじ登る過程で爪の端部が前記摩擦ロープ４０の内側に引き込まれて容易によじ登ることができるようにする機能も提供される。
【００２６】
また、摩擦ロープ４０は、図２のように、斜線形態に溝部３３が形成された延長棒３０の外面を螺旋方向に覆いかぶせた後、接着固定され、これとは異なり、摩擦ロープ４０で延長棒を覆いかぶせた後、巻かれた端部に終端部を縛って固定させることも可能である。これは、延長棒３０の外面に摩擦ロープ４０の過度な露出を減らし、かつ前記摩擦ロープ４０が延長棒３０の溝部３３に沿って陥没するように巻かれながら、より安定した結束状態が維持できるようにする効果と、猫の接触に従う結束が容易に緩むことを防止することができる確実な固定状態が提供できるようにする。
【００２７】
また、摩擦ロープ４０は主に藁を綯ってロープ形態に作ったものが使われ、これとは異なり、相対的に耐久性が強い、かつ、きれいな繊維材または合成繊維材からなるロープを使用することも可能である。
【００２８】
そして、枝部５０は愛玩動物と利用者に視覚的な美しさを提供することができる構成要素であって、延長棒３０の結合孔３２にねじ締結される結合突起５１が下部に形成され、上部には葉５２が設けられる。このような枝部５０は、基本的に合成樹脂材として形成させることが好ましい。
【００２９】
上記のように構成される本発明の組立式愛玩動物用遊び器具が組み立てられる設置過程を説明すると、まず、ベースパネル２０を設置する場所に配置した状態で順次に前記ベースパネル２０の柱に延長棒３０をねじ結合し、前記延長棒３０に枝部５０をねじ結合した後、延長棒３０の外面を覆いかぶせながら摩擦ロープ４０を巻取させた後、固定させることで、一連の過程を終えるようになる。
【００３０】
図４を参照すると、延長棒３０には外面に螺旋の溝部３３がさらに形成され、前記摩擦ロープ４０が前記溝部３３に沿って巻かれるように配置されて、愛玩動物の移動により前記摩擦ロープ４０が垂れたり解けたりすることを防止するようになり、溝部３３に沿って摩擦ロープ４０を巻けばよいので、設置が容易になる。この際、溝部３３に巻かれた摩擦ロープ４０の上端部と下端部はバンドで覆いかぶせて結び付けて固定させることが好ましい。
【００３１】
図５を参照すると、柱２１と延長棒３０との間には愛玩動物が支持しながら休むことができるように下部支持パネル６０がさらに介されるように配置され、前記延長棒３０と前記枝部５０との間には上部支持パネル７０がさらに介されるように配置される。
【００３２】
即ち、下部支持パネル６０は合成樹脂材からなり、愛玩動物が登って安らかに休む過程で滑りが防止されるように上面に繊維材または合成繊維材からなる摩擦シート６１がさらに付着され、前記締結突起３１に嵌合されるように嵌合孔６２が形成されることによって前記締結突起３１が前記嵌合孔６２を貫通して前記締結孔２１１に締結され、また前記下部支持パネル６０が前記ベースパネル２０と前記延長棒３０との間に圧着固定されるように配置される。
【００３３】
そして、上部支持パネル７０は、図２に示すように、後述する枝部５０の結合突起５１に嵌合孔７２を嵌めた後、前記結合突起５１が前記結合孔３２に締結されるようにすることで、前記延長棒３０と前記枝部５０との間に圧着固定されるように配置され、上面には滑りを防止するように摩擦シート７１が付着される。
【００３４】
図６を参照すると、柱２１と延長棒３０との間または前記延長棒３０と前記枝部５０との間には貫通孔８１１ａを有する休み部８０がさらに配置され、前記休み部８０は前記貫通孔８１１ａが形成された連結パネル８１１と前記連結パネル８１１と一体形成され、引込口８１２ａを有するリング部８１２からなる固定パネル８１と、前記リング部８１２の下部に形成されて前記リング部８１２を通じて引き込まれる愛玩動物が配置される繊維材からなるポケット８２からなる。
【００３５】
この際、リング部８１２には引込口８１２ａを開放または閉鎖するように軸回動されるように枠に環形の摩擦リング９１が嵌合されたドア９０がさらに設置されて、前記ポケット８２の内部空間が暗い暗室になるようにすることが好ましい。
【００３６】
即ち、愛玩動物、特に猫の場合、気が安い、休むことができる暗い暗室を好むが、前記貫通孔８１１ａと引込口８１２ａを有する固定パネル８１にポケット８２を融着または粘着させ、前記貫通孔８１１ａを前記枝部５０の結合突起５１に嵌めて枝部５０と延長棒３０との間に休み部８０を配置させるか、または前記延長棒３０の締結突起３１に貫通孔８１１ａを嵌めて前記延長棒３０と前記柱２１との間に休み部８０を配置させるようになる。
【００３７】
また、引込口８１２ａにドア９０を設けて内部空間を暗くすると共に、摩擦リング９１が引込口８１２ａの内周縁に摩擦されて愛玩動物の押圧によりドア９０が回転するようにすると共に、引込口８１２ａとドア９０との間に隙間が生じて光が流入することを防止するようになる。
【符号の説明】
【００３８】
１０：遊び器具            ２０：ベースパネル
３０：延長棒              ４０：摩擦ロープ
５０：枝部                ６０：下部支持パネル
７０：上部支持パネル      ８０：休み部
９０：ドア                ２１：柱
２１１：締結孔            ３１：締結突起
３２：結合孔              ３３：溝部
５１：結合突起            ５２：葉
６１：摩擦シート          ６２：嵌合孔
７１：摩擦シート          ７２：嵌合孔
８１：固定パネル          ８１１：連結パネル
８１１ａ：貫通孔          ８１２：リング部
８１２ａ：引込口          ８２：ポケット
９１：摩擦リング
【図１】
2017532002.tif 000003
【図２】
2017532002.tif 000004
【図３】
2017532002.tif 000005
【図４】
2017532002.tif 000006
【図５】
2017532002.tif 000007
【図６】
2017532002.tif 000008
【国際調査報告】
2017532002.tif 000009
2017532002.tif 000010
2017532002.tif 000011
2017532002.tif 000012
2017532002.tif 000013